(57)【要約】【課題】集塵ケースの有無を確実に検知し、誤った運転がされることが無い電気掃除機を提供する。【解決手段】電気掃除機本体７に着脱自在に装着されるとともに吸引された塵埃を捕集する集塵ケース１２と、一端が前記本体７に回動自在に軸支され前記集塵ケース１２を開閉自在に覆う本体蓋１０と、前記本体蓋１０に回動自在に設けられ前記集塵ケース１２の有無あるいは誤装着を検知する集塵ケース検知レバー２１とを備え、前記集塵ケース検知レバー２１は前記本体蓋１０が接触することで回動するとともに、前記集塵ケース検知レバー２１の回動中心線と前記本体蓋１０の回動中心線が略直交するように構成したものである。【選択図】  図３
2004337495.tif 000002
【特許請求の範囲】
【請求項１】
吸引風を生成する電動送風機を内蔵する本体と、前記本体に着脱自在に装着されるとともに吸引された塵埃を捕集する集塵ケースと、一端が前記本体に回動自在に軸支され前記集塵ケースを開閉自在に覆う本体蓋と、前記本体蓋に回動自在に設けられ前記集塵ケースの有無あるいは誤装着を検知する検知手段とを備え、前記検知手段は前記本体蓋が接触することで回動するとともに、前記検知手段の回動中心線と前記本体蓋の回動中心線とが略直交するようにした電気掃除機。
【請求項２】
検知手段を本体蓋の回動中心線寄りに配した請求項１記載の電気掃除機。
【請求項３】
本体蓋の検知手段を覆う部分以外の部分の少なくとも一部を半透明とした請求項１または２記載の電気掃除機。
【請求項４】
検知手段を本体蓋の少なくとも片側に設けた請求項１〜３のいずれか１項記載の電気掃除機。
【請求項５】
検知手段の一部に断面略Ｌ字状の部位を設けた請求項１〜４のいずれか１項記載の電気掃除機。
【請求項６】
同一形状の検知手段を本体蓋の両側に設けた請求項１〜５のいずれか１項記載の電気掃除機。
【請求項７】
検知手段の検知部を集塵ケース側に付勢する付勢体を設けた請求項１〜６のいずれか１項記載の電気掃除機。
【請求項８】
付勢体をバネで形成すると共に、前記バネを検知手段に絡ませた請求項７記載の電気掃除機。
【請求項９】
検知部の形状を略球状とした請求項７または８記載の電気掃除機。
【請求項１０】
検知手段の形状を、本体蓋が閉じた位置において本体蓋の内面と集塵ケースの外面に沿った形状とした請求項１〜９のいずれか１項記載の電気掃除機。
【請求項１１】
吸引風を生成する電動送風機を内蔵する本体と、前記電動送風機と連通し塵埃を吸引する吸込具と、前記本体に着脱自在に装着されるとともに吸引された塵埃を捕集する集塵ケースと、前記集塵ケースを開閉自在に覆う本体蓋と、前記集塵ケースの有無あるいは誤装着を電気的に検知する検知手段を備えた電気掃除機。
【発明の詳細な説明】
【０００１】
【発明の属する技術分野】
本発明は、着脱自在な集塵ケースを備えた電気掃除機に関するものである。
【０００２】
【従来の技術】
掃除機本体に着脱自在で、吸引された塵埃を捕集する集塵ケースを備えた電気掃除機において、その集塵ケースを取りつけていない状態で、或いは、掃除機本体に正しくセットしていない状態で、掃除機本体を運転すると、吸引された塵埃が、電動送風機に流入して、故障の原因になる。それを防止するために、従来、集塵ケースの有無を検知する検知レバー体を設け、そのレバー体を、本体の前後方向に回動するようにしていた（例えば、特許文献１参照）。
【０００３】
【特許文献１】
特開平４−３６７８３号公報
【０００４】
【発明が解決しようとする課題】
ところが、このような検知レバー体が前後方向に回動するタイプでは、本体蓋の回動方向と、検知レバー体の回動方向が同一であるため、同一方向に前記両部品の回動軌跡寸法の誤差が蓄積されてしまうため、結果として動作が不安定で、信頼性にも問題があった。
【０００５】
本発明は上記課題を解決するもので、コンパクトで信頼性の高い集塵ケース検知手段を備えた電気掃除機を提供することを目的とするものである。
【０００６】
【課題を解決するための手段】
上記目的を達成するために本発明は、吸引風を生成する電動送風機を内蔵する本体と、前記本体に着脱自在に装着されるとともに吸引された塵埃を捕集する集塵ケースと、一端が前記本体に回動自在に軸支され前記集塵ケースを開閉自在に覆う本体蓋と、前記本体蓋に回動自在に設けられ前記集塵ケースの有無あるいは誤装着を検知する検知手段とを備え、前記検知手段は前記本体蓋が接触することで回動するとともに、前記検知手段の回動中心線と前記本体蓋の回動中心線とが略直交するようにしたもので、前記検知手段の回動中心線と前記本体蓋の回動中心線が略直交しているため、同一方向に前記両部品の回動軌跡寸法の誤差が蓄積されることはなく、その結果、動作が安定し、信頼性を向上させることができる。
【０００７】
【発明の実施の形態】
本発明の請求項１記載の発明は、吸引風を生成する電動送風機を内蔵する本体と、前記本体に着脱自在に装着されるとともに吸引された塵埃を捕集する集塵ケースと、一端が前記本体に回動自在に軸支され前記集塵ケースを開閉自在に覆う本体蓋と、前記本体蓋に回動自在に設けられ前記集塵ケースの有無あるいは誤装着を検知する検知手段とを備え、前記検知手段は前記本体蓋が接触することで回動するとともに、前記検知手段の回動中心線と前記本体蓋の回動中心線とが略直交するようにしたもので、前記検知手段の回動中心線と前記本体蓋の回動中心線が略直交しているため、同一方向に前記両部品の回動軌跡寸法の誤差が蓄積されることはなく、その結果、動作が安定し、信頼性を向上させることができる。
【０００８】
本発明の請求項２記載の発明は、検知手段を本体蓋の回動中心線寄りに配したもので、検知手段の回動範囲（浮き高さ）に較べ、本体蓋の先端部での回動範囲大きくとれるので、集塵ケースの着脱が容易になる。
【０００９】
本発明の請求項３記載の発明は、本体蓋の検知手段を覆う部分以外の部分の少なくとも一部を半透明としたもので、本体蓋で覆われた集塵ケースが外部から見える一方、検知手段は外部から見えないので、見栄えをよくすることができる。
【００１０】
本発明の請求項４記載の発明は、検知手段を本体蓋の少なくとも片側に設けたもので、集塵ケースの有無もしくは誤装着状態を検知することができる。
【００１１】
本発明の請求項５記載の発明は、検知手段の一部に断面略Ｌ字状の部位を設けたもので、検知手段による集塵ケースがない状態の検知機能を高めることができる。
【００１２】
本発明の請求項６記載の発明は、同一形状の検知手段を本体蓋の両側に設けたもので、部品の共用化を図ることができ、生産性およびサービス性の向上を図ることができる。
【００１３】
本発明の請求項７記載の発明は、検知手段の検知部を集塵ケース側に付勢する付勢体を設けたもので、検知手段の動作を確実にして、集塵ケースの有無を精度良く検知するので、検知手段の信頼性向上を図ることができる。
【００１４】
本発明の請求項８記載の発明は、付勢体をバネで形成すると共に、前記バネを検知手段に絡ませたもので、バネの本体への組み立てを容易にすることができる。
【００１５】
本発明の請求項９記載の発明は、検知部の形状を略球状としたもので、集塵ケースと検知部との摩擦抵抗が軽減され、検知手段の動作性を向上させることができる。
【００１６】
本発明の請求項１０記載の発明は、検知手段の形状を、本体蓋が閉じた位置において本体蓋の内面と集塵ケースの外面に沿った形状としたもので、本体蓋を閉じる際に集塵ケースを正規の位置に矯正することができるものである。
【００１７】
本発明の請求項１１記載の発明は、吸引風を生成する電動送風機を内蔵する本体と、前記電動送風機と連通し塵埃を吸引する吸込具と、前記本体に着脱自在に装着されるとともに吸引された塵埃を捕集する集塵ケースと、前記集塵ケースを開閉自在に覆う本体蓋と、前記集塵ケースの有無あるいは誤装着を電気的に検知する検知手段を備えたもので、検知手段の配置場所の選択肢が広くなるとともに、必要に応じて、検知手段と電動送風機を電気的に連動させて、集塵ケースが装着されていない時に、電動送風機の運転ができないようにするなど、機能の高度化を図る事ができる。
【００１８】
【実施例】
（実施例１）
以下、本発明の第１の実施例を、図１〜図１０を用いて説明する。
【００１９】
図１、２において、電気掃除機１は、掃除機本体７（以下、本体７とする）と、一端にホース継ぎ手５を有し、他端に手元ハンドル４を有するホース６と、前記手元ハンドル４に一端が接続される延長管２と、前記延長管の他端に接続され塵埃を吸引する吸込具３を有している。ホース６のホース継ぎ手５は、本体７の前部に設けた吸気口２０に接続される。
【００２０】
本体７には、１個の前輪キャスター８と、一対の後輪９とが回転自在に設けられている。
【００２１】
図２において、１０は、一端に回動軸２２を有する本体蓋で、前記回動軸２２は、本体７の上部後方に回転自在に軸支されている。１１は、本体７の前方に形成された凹部で、１２は、吸込具３から吸引され、延長管２、ホース６を経て到達した空気から塵埃を分離すると共に、塵埃を捕集する集塵部となる集塵ケースで、この集塵ケース１２は、凹部１１に着脱自在に装着される。
【００２２】
図３において、格子状の斜線で示されるように本体蓋１０の略中央部は、半透明材料で形成されており、凹部１１に装着された集塵ケース１２が外部から見えるようになっている。なお、後述の集塵ケース検知レバー２１は、半透明部分から外れた位置、すなわち外部から見えない位置に配置されている。
【００２３】
また、本体７の凹部１１の後方には吸引風を生成する電動送風機１３等が内蔵されている。この電動送風機１３の吸入側は、空気吸入部１４を通じて凹部１１に連通している。空気吸入部１４は、集塵ケース１２を凹部１１に収納した時、集塵ケース１２に当接する傾斜シール面１５で包囲されるようになっている。
【００２４】
本体７後方には、排気フィルター１６が備えられ、電動送風機１３からの排気は、この排気フィルター１６を通して、外部に放出される。更に本体７には他の部品、すなわち前記電動送風機１２の消費電力等を制御する制御部１７等の電気部品や、前記電動送風機１２、制御部１７等に電気を供給するコード（図示せず）を巻き取るコード巻き取り装置（図示せず）等が本体７に内蔵されている。
【００２５】
本体７の前壁１８は底壁１９から立ち上がっており、この底壁１９は前記凹部１１の下端面となっている。前壁１８の略中央部にはホース継ぎ手５を着脱自在に接続するための吸気口２０が設けられている。２０ａは、シールパッキンで、吸気口２０の凹部１０側端面に取り付けられていて、吸気口２０と集塵ケース１１との間の空気洩れを防止している。
【００２６】
次に、本発明の特徴となる集塵ケース１２の有無を検知する検知手段である集塵ケース検知レバー２１の詳細について説明する。図２、３に示すように、集塵ケース検知レバー２１の一端には、本体蓋１０に回動自在に軸支されると共に本体蓋１０の回動軸２２の回動中心線と直交する中心線を回動中心とする回動軸２３（本体の前後方向に軸中心がある）が設けられ、他端には、集塵ケース１２に当接して、その集塵ケース１２を検知する検知部となる先端部２４が設けられている。
【００２７】
一方、集塵ケース１２の上部は中央部に行くほど高くなるように略円弧状に形成されて、本体蓋１０を閉める時に集塵ケース検知レバー２１の先端部２４が集塵ケース１２の上部に当接しながら回動し、本体蓋１０を完全に閉じた状態の時には集塵ケース検知レバー２１が集塵ケース１２と本体蓋１０の隙間に収納されるようになっている。
【００２８】
前記集塵ケース検知レバー２１の回動軸２３は、本体７の外方に位置させるとともに、その先端部２４は、回動軸２３の軸中心よりも内方で上下方向に回動するように規制されている。また、集塵ケース１２を外した状態で、集塵ケース検知レバー２１の先端部２４がその自重で最も下がった位置において、本体７の凹部１１を形成する本体７の上端の形状に合わせて略Ｌ字状に形成した当接部２５が、集塵ケース検知レバー２１の一部に形成されている。
【００２９】
さらに、集塵ケース検知レバー２１の先端２４は略球形状としており、この集塵ケース検知レバー２１が本体蓋１０の両側に略対称に設けられている。
【００３０】
上記構成における動作、作用について説明する。
【００３１】
まず、集塵ケース１２が本体７の凹部１１に正常にセットされている場合には、本体蓋１０を閉じる際に本体蓋１０に取り付けられた集塵ケース検知レバー２１の先端２４が集塵ケース１２の上部に当接し、徐々に集塵ケース１２の外壁を滑り上がりながら本体蓋１０の天面に近づくように回動していく。そして、本体蓋１０が完全に閉じた状態においては本体蓋１０と集塵ケース１２の間に形成される空間（隙間）に収納されるものである。
【００３２】
一方、本体凹部１１に集塵ケース１２がセットされていない場合、あるいは正常にセットされていない場合には、集塵ケース検知レバー２１が自重で、下方に回動し、当接部２５が本体７に乗り上げ、本体蓋１０が閉まりきらない状態となる。
【００３３】
上記構成において、本体蓋１０に回動自在に軸支されると共に本体蓋１０の回動軸２２の回動中心線と直交する中心線を回動中心とする回動軸２３（本体の前後方向に軸中心がある）が設けられ、他端には、集塵ケース１２に当接して、その集塵ケース１２を検知する検知部となる先端部２４が設けられているため、同一方向に先端部２４と本体蓋１０の回動軌跡寸法の誤差が蓄積されることはなく、その結果、動作が安定し、信頼性を向上させることができる。
【００３４】
また、上記構成において集塵ケース検知レバー２１を、集塵ケース１２の後方で当たる位置、すなわち集塵ケース１２に触れることができる範囲において本体蓋１０の回動軸２２の中心線に最も近い位置に配置することで、集塵ケース検知レバー２１が集塵ケース１２をより早い段階で検知することができるとともに、本体蓋１０の製造・組み立て上のガタつきの影響が最も少なくできる。
【００３５】
また、図６に示すように集塵ケース検知レバー２１に、その先端２４を下方に付勢する付勢体となるバネ２６をつけることで、集塵ケース検知レバー２１自体の重みによって回動するものよりも信頼性をあげることができる。
【００３６】
特に、図７、８、９に示すように、集塵ケース検知レバー２１にバネ２６を絡みつけるように構成すると、本体蓋１０への組立て性が大幅に改善されるものである。
【００３７】
また、図１０に示すように集塵ケース検知レバー２１の形状を本体蓋１０を閉じた位置にあるときに、集塵ケース１２と同一形状にすることで、集塵ケース１２が若干ずれた位置でセットされていたとしても、本体蓋１０を閉じきったときに集塵ケース検知レバー２１が集塵ケース１２を正常な位置に矯正する作用が働くものである。
【００３８】
（実施例２）
次に、本発明の第２の実施例を、図１１、１２を用いて簡単に説明する。
上記第１の実施例では、集塵ケース１２の有無を検知するセンサーとして、集塵ケース検知レバー２１を本体蓋１０側だけに設けたが、本実施例では、本体凹部１１内にも集塵ケース１２の有無を検知するセンサーを設けたもので、具体的には、集塵ケース１２が正常にセットされた時に、集塵ケース１２を検知できる位置にマイクロスイッチ２７を設置し、集塵ケース１２の有無を電気的に検知するようにしたものである。これにより、マイクロスイッチ２７の配置場所の選択肢が広くなるとともに、必要に応じて、マイクロスイッチ２７と電動送風機１３を電気的に連動させて、集塵ケース１２が装着されていない時に、電動送風機１３の運転ができないようにするなど、電気掃除機の機能の高度化を図る事ができる。
【００３９】
【発明の効果】
以上のように、本発明によれば、集塵ケースの有無を確実に検知して、信頼性の高い電気掃除機を提供する事ができるものである。
【図面の簡単な説明】
【図１】本発明の第１の実施例を示す電気掃除機の全体斜視図
【図２】同電気掃除機の本体の側断面図
【図３】図２のＡ−Ａ断面図
【図４】図３のＢ部拡大図
【図５】図３のＢ部拡大図（集塵ケースがない状態のとき）
【図６】本実施例の他の例を示す要部拡大図
【図７】本実施例の他の例を示す要部拡大図
【図８】図７中の集塵ケース検知レバーの斜視図
【図９】同集塵ケース検知レバーの反対斜視図
【図１０】本実施例の他の例を示す断面図
【図１１】本発明の第２の実施例を示す電気掃除機の側断面図
【図１２】同電気掃除機の要部拡大断面図
【符号の説明】
７    本体
１０  本体蓋
１２  集塵ケース
１３  電動送風機
２１  集塵ケース検知レバー（検知手段）
２４  先端部（検知部）
２６  バネ（付勢体）
２７  マイクロスイッチ（検知手段）
【図１】
2004337495.tif 000003
【図２】
2004337495.tif 000004
【図３】
2004337495.tif 000005
【図４】
2004337495.tif 000006
【図５】
2004337495.tif 000007
【図６】
2004337495.tif 000008
【図７】
2004337495.tif 000009
【図８】
2004337495.tif 000010
【図９】
2004337495.tif 000011
【図１０】
2004337495.tif 000012
【図１１】
2004337495.tif 000013
【図１２】
2004337495.tif 000014